(57)【要約】【課題】ノズル内径の大小にかかわらず、プルリングの内径すなわちノズル内周長の大きさを、できるだけ大きく形成することが可能なプルリング付き注出口を提供する。【解決手段】ノズル内部にプルリングを有する注出口において、前記プルリングは、湾曲形状を保ちつつ前記ノズル内部に収容されることを特徴とするプルリング付き注出口である。【選択図】図１
2007153423.tif 000002
【特許請求の範囲】
【請求項１】
ノズル内部にプルリングを有する注出口において、前記プルリングは、湾曲形状を保ちつつ前記ノズル内部に収容されることを特徴とするプルリング付き注出口。
【請求項２】
前記プルリングの内周長は、前記ノズル内部収容時より前記ノズル外部開放時において、大となることを特徴とする請求項１記載のプルリング付き注出口。
【請求項３】
前記プルリングは、前記ノズル内部収容時、前記プルリングの少なくとも一部が湾曲形状を保ちつつノズル内部に形成されることを特徴とする請求項１乃至３に記載のプルリング付き注出口。
【請求項４】
前記プルリングは、前記ノズル内部収容時、前記プルリングの複数箇所が湾曲形状を保ちつつノズル内部に形成されることを特徴とする請求項１乃至４に記載のプルリング付き注出口。
【発明の詳細な説明】
【技術分野】
【０００１】
本発明は、ノズル内部にプルリングを有する注出口に関する。
【背景技術】
【０００２】
従来、ノズル内部にプルリングを備える注出口が広く使用されている。この種のプルリングは、初期開封前において、注出口のノズル内部に収容されており、通常、プルリングの内径（プルリング内径）は、必然的にノズルの内径（ノズル内径）より小さくなってしまう。（例えば特許文献１）
よって、内径の小さいノズルを有する注出口では必然的にプルリングの内径が小さくなってしまい、プルリングを掴んで引っ張る初期開封の際、プルリングに指を入れづらく、初期開封がし難いという問題があった。
【０００３】
【特許文献１】特開２００２−２４０８４６号公報
【発明の開示】
【発明が解決しようとする課題】
【０００４】
上述のとおり、プルリングの内径は、ノズルの内径によって決定してしまうため、内径の小さなノズルを有する注出口では、必然的にプルリングが小さくなってしまい、プルリングを掴んで引っ張る際の、初期開封がしづらいという問題があった。そこで、本発明は、ノズル内径の大小にかかわらず、プルリングの内径すなわちノズル内周長の大きさを、できるだけ大きく形成することが可能なプルリング付き注出口を提供することにある。
【課題を解決するための手段】
【０００５】
上記の課題を解決するために、請求項１記載の発明は、ノズル内部にプルリングを有する注出口において、前記プルリングは、湾曲形状を保ちつつ前記ノズル内部に収容されることを特徴とするプルリング付き注出口である。
【０００６】
請求項２記載の発明は、前記プルリングの内周長は、前記ノズル内部収容時より前記ノズル外部開放時において、大となることを特徴とする請求項１記載のプルリング付き注出口である。
【０００７】
請求項３記載の発明は、前記プルリングは、前記ノズル内部収容時、前記プルリングの少なくとも一部が湾曲形状を保ちつつノズル内部に形成されることを特徴とする請求項１乃至３に記載のプルリング付き注出口である。
【０００８】
請求項４記載の発明は、前記プルリングは、前記ノズル内部収容時、前記プルリングの複数箇所が湾曲形状を保ちつつノズル内部に形成されることを特徴とする請求項１乃至４に記載のプルリング付き注出口である。
【発明の効果】
【０００９】
本発明によれば、ノズル内部にプルリングを有する注出口において、前記プルリングは、湾曲形状を保ちつつ前記ノズル内部に収容されることを特徴とし、さらには、前記プルリングの内周長は、前記ノズル内部収容時より前記ノズル外部開放時において、大となることを特徴とするため、
注出口のノズル内径で制約されるプルリング内径が、プルリングが湾曲することで、その内周長を増すことができ、プルリングの中に指を入れ易くなって引張りやすい効果がある。よって、プルリングの初期開封を容易に行うことができる効果がある。
また、プルリングの複数部分をプルリングの中心方向に向かって湾曲形状を保つことにより、ノズル内部にプルリングを形成するので、ノズルが小さい内径であっても、より大きな内径を有するプルリングを、ノズル内部に形成することが可能である。
【発明を実施するための最良の形態】
【００１０】
本発明に係るプルリング付き注出口１（注出口１）は、図１に示すように、容器に注出口１を取り付けるためのフランジ部５と、内容物を注出するための円筒形状のノズル４とからなり、ノズル４の外周表面には、キャップをネジ嵌合するためのネジ山６が形成されている。さらに、ノズル４の内部には、初期開封用のプルリング７を備えている。
このプルリングは通常、ノズル内部に収容されており、初期開封時において、消費者がプルリングをノズル外部へと引き出す作業によりプルリングがノズル外部へと開放される。そして、開放されたプルリング７に、指を掛けて上方へと引張ることにより、後述する遮蔽部１１が、開封用溝１２に沿って引き裂かれ、注出口１の初期開封が行なわれる。
そして、プルリングの本来の形は、前記ノズル４の内径より大きな内径を有する円形状からなるため、プルリング収容時には、ノズル４内部において、プルリング７の一部がプルリング７の中心方向Ｃに湾曲して収容されている。
【００１１】
注出口１は、詳しくは、図２に示すように、容器に形成された図示しない注出口取り付け穴を貫通して容器外に突出する円筒状のノズル４と、このノズル４の下方に、容器に貼り付けるための円盤状のフランジ５を有するとともに、ノズル４の内部を遮蔽する遮蔽部１１と、この遮蔽部１１の一部を容易に開封しうるように設けられた開封用溝１２と、その開封用溝１２で囲まれた領域に支柱部９を介して連結されたプルリング７と、ノズル部４の外周面には、キャップをネジ嵌合させるためのネジ山６と、を有している。
そして、初期開封時において、ノズル４内部より前記プルリング７を上方に引き上げると、遮蔽部１１が開封溝１２に沿って引き裂かれることにより、注出口１の初期開封が行われる。また、ノズル４の下方外周には、ストッパー８が形成されており、このストッパー８と、フランジ７との間の空間に容器が固定される。
【００１２】
初期開封前、すなわちノズル内部収容時のプルリング７の一部は、図３に示すようにプルリング７の略中心方向Ｃに向かって湾曲形状Ｗを保持しており、初期開封時、消費者はまずノズル４内部のプルリング７をノズル４外部へと引き出してプルリングを開放する。すると、プルリング７はノズル４の外部において、湾曲形状Ｗから元の形状（円形状若しくは楕円形状）へと変化することにより、内径の大きなプルリング７へと形状変化する。よって、消費者は大きな内径を有するプルリング７により初期開封を楽に行うことができる。
【００１３】
図４、図５は本発明の別の実施形態を示す図である。ノズル４内部のプルリング７は、複数の湾曲部Ｗを形成することにより、プルリング７本来の内径からノズル４の内径へと小さく形状変化させたものである。
【００１４】
例えば、上述したプルリング７を有する注出口１を初期開封するとき、図６に示すように、プルリング７をノズル４外部へ引き出す（開放する）と、ノズル４の内径より大きな内周長を有するプルリング７となる。よって、小さなノズル４内径を有する注出口１であっても、プルリング外部開放時に大きな内径を有するプルリング７とすることが可能となり、注出口１の大小、即ちノズル４の大小にかかわらず、常に開封容易な内径を有するプルリング７を備える注出口１を提供することができる。
特に、図４、図５のように複数の湾曲形状部Ｗを備えるプルリング場合、比較的小さなノズル４内径を有する注出口１に適用すると、より効果的である。
【００１５】
上記した注出口１及びプルリング７の材料には、従来用いられる材料を適宜使用すればよく、例えば、低密度ポリエチレン樹脂、中密度ポリエチレン樹脂、高密度ポリエチレン樹脂、直鎖状低密度ポリエチレン樹脂、ポリスチレン樹脂、アイオノマー樹脂、ポリプロピレン樹脂、アクリル樹脂、ナイロン樹脂、ポリエステル系樹脂、ポリカーボネート樹脂等の樹脂を挙げることができる。
【図面の簡単な説明】
【００１６】
【図１】本発明のプルリング付き注出口を示す斜視図である。
【図２】本発明のプルリング付き注出口を示す断面図である。
【図３】本発明のプルリング付き注出口を示す上面図である。
【図４】本発明のプルリング付き注出口の、別の例を示す上面図である。
【図５】図４のプルリング付き注出口を示す斜視図である。
【図６】本発明のプルリング付き注出口の、初期開封時を示す斜視図である。
【符号の説明】
【００１７】
１  注出口
４  ノズル
５  フランジ
６  ネジ山
７  プルリング
８  ストッパー
９  支柱部
１１  遮蔽部
１２  開封溝
Ｗ  湾曲形状部
Ｃ  プルリング中心（若しくはプルリング中心方向）
【図１】
2007153423.tif 000003
【図２】
2007153423.tif 000004
【図３】
2007153423.tif 000005
【図４】
2007153423.tif 000006
【図５】
2007153423.tif 000007
【図６】
2007153423.tif 000008